(57)【特許請求の範囲】
【請求項１】
被検眼の注視方向を所望の方向に移動するために光軸周辺に設けた複数の周辺固視灯と、該周辺固視灯の点灯・消灯を制御する点灯制御手段と、該点灯制御手段による前記周辺固視標の点灯に応じて、被検眼の注視方向を検出する注視方向検出手段とを有し、該注視方向検出手段は、被検眼の角膜に角膜形状測定用を兼ねた視標を投影して角膜反射像を受光し、該角膜反射像の移動を検出することにより被検眼の注視方向を検出することを特徴とする角膜形状測定装置。
【請求項２】
被検眼の注視方向を所望の方向に移動するために光軸周辺に設けた複数の周辺固視灯と、該周辺固視灯の点灯・消灯を制御する点灯制御手段と、該点灯制御手段による前記周辺固視標の点灯に応じて、被検眼の注視方向を検出する注視方向検出手段と、前記点灯制御手段により点灯した前記周辺固視灯の方向及び前記注視方向検出手段により検出した被検眼の注視の移動方向が、概略同じ方向か否かを判定する注視方向判定手段とを有することを特徴とする角膜形状測定装置。
【請求項３】
前記注視方向判定手段の判定結果を表示する表示手段を有する請求項２に記載の角膜形状測定装置。
【請求項４】
前記注視方向判定手段により被検眼の注視方向と点灯している周辺固視灯の方向とが一致していないことが判定されたときに、前記周辺固視灯の固視不良状態を警告する警告手段を設けた請求項２に記載の角膜形状測定装置。
【請求項５】
前記注視方向判定手段により被検眼の注視方向と点灯している周辺固視灯の方向とが一致していないことが判定されたときには、角膜周辺部位の測定を禁止する禁止手段を設けた請求項２に記載の角膜形状測定装置。
【請求項６】
被検眼の角膜形状を含む光学的特性を測定する検眼手段と、該検眼手段と被検眼の位置関係を検出するアライメント検知手段と、該アライメント検知手段からの検知信号により被検眼及び前記検眼手段の位置合わせを行うために前記検眼手段を被検眼に対して上下左右及び前後方向に駆動する駆動手段と、被検眼の注視方向を所望の方向に移動するために光軸周辺に設けた複数の周辺固視灯と、該周辺固視灯の点灯・消灯を制御する点灯制御手段と、該点灯制御手段による前記周辺固視標の点灯に応じて前記検眼手段の前記駆動手段による移動方向を検出する移動方向検出手段と、前記点灯制御手段により点灯した前記周辺固視灯の方向及び前記移動方向検出手段により検出した前記検眼手段の移動方向が概略同じ方向か否かを判定する注視方向判定手段とを有することを特徴とする角膜形状測定装置。
【発明の詳細な説明】
【０００１】
【発明の属する技術分野】
本発明は、角膜の周辺部の曲率を測定する角膜形状測定装置に関するものである。
【０００２】
【従来の技術】
従来から、コンタクトレンズの処方を行う際には、ケラトメータと呼ばれる角膜形状測定装置を使用して、被検者の角膜の中心部付近の領域において強弱主経線曲率半径とその軸角度を測定して、装用するコンタクトレンズのベースカーブを決定している。
【０００３】
また、より良い装用状態を実現するために、角膜の周辺部の曲率を測定して、中心部領域の曲率半径からのずれである離心率を求め、周辺部のフィッテイングに適するコンタクトレンズを選択することも行われている。このような角膜周辺部の測定は、被検者に所定の周辺測定用固視灯を固視するように指示し、被検眼を回旋して測定すべき周辺部分の測定を行っている。
【０００４】
また、この種のケラトメータによる角膜周辺の形状測定方法として、測定光軸の周りに配置した周辺測定用固視灯の内、中心部測定から得た強弱主経線の軸角度方向、又はその軸角度方向に最も近い周辺固視灯を点灯し、被検者にその固視灯を注視させることにより被検眼を回旋して、測定すべき周辺部分をケラトメータの測定光軸上に配置して測定する装置が、特開平４−２６６７３７号公報に開示されている。
【０００５】
【発明が解決しようとする課題】
しかしながら上述の従来例のケラトメータにおいては、被検者が実際に点灯している周辺固視灯を注視しているか否かは、角膜中心部領域の測定終了後に、中心固視灯を消灯して周辺固視灯を点灯した時点で、被検眼の動きを観察用モニタで観察して確認しているために、見落しや検者の勘違いによって誤った周辺部位の測定を招くという問題点がある。また、測定操作を自動で行う検眼装置では、被検者が点灯した周辺固視灯を本当に注視しているか否かを確認できないために、角膜の周辺測定を行うことができないか、或いは測定の信頼性を確認することができないという問題点がある。
【０００６】
本発明の目的は、上述の問題点を解消し、周辺固視灯を正しく被検者が注視しているか否かを判定して、所望の角膜周辺部位を測定光軸上に確実に位置合わせする角膜形状測定装置を提供することにある。
【０００７】
【課題を解決するための手段】
上記目的を達成するための本発明に係る角膜形状測定装置は、被検眼の注視方向を所望の方向に移動するために光軸周辺に設けた複数の周辺固視灯と、該周辺固視灯の点灯・消灯を制御する点灯制御手段と、該点灯制御手段による前記周辺固視標の点灯に応じて、被検眼の注視方向を検出する注視方向検出手段とを有し、該注視方向検出手段は、被検眼の角膜に角膜形状測定用を兼ねた視標を投影して角膜反射像を受光し、該角膜反射像の移動を検出することにより被検眼の注視方向を検出することを特徴とする。
【０００８】
また、本発明に係る角膜形状測定装置は、被検眼の注視方向を所望の方向に移動するために光軸周辺に設けた複数の周辺固視灯と、該周辺固視灯の点灯・消灯を制御する点灯制御手段と、該点灯制御手段による前記周辺固視標の点灯に応じて、被検眼の注視方向を検出する注視方向検出手段と、前記点灯制御手段により点灯した前記周辺固視灯の方向及び前記注視方向検出手段により検出した被検眼の注視の移動方向が、概略同じ方向か否かを判定する注視方向判定手段とを有することを特徴とする。
【０００９】
本発明に係る角膜形状測定装置は、被検眼の角膜形状を含む光学的特性を測定する検眼手段と、該検眼手段と被検眼の位置関係を検出するアライメント検知手段と、該アライメント検知手段からの検知信号により被検眼及び前記検眼手段の位置合わせを行うために前記検眼手段を被検眼に対して上下左右及び前後方向に駆動する駆動手段とを、被検眼の注視方向を所望の方向に移動するために光軸周辺に設けた複数の周辺固視灯と、該周辺固視灯の点灯・消灯を制御する点灯制御手段と、該点灯制御手段による前記周辺固視標の点灯に応じて前記検眼手段の前記駆動手段による移動方向を検出する移動方向検出手段と、前記点灯制御手段により点灯した前記周辺固視灯の方向及び前記移動方向検出手段により検出した前記検眼手段の移動方向が概略同じ方向か否かを判定する注視方向判定手段とを有することを特徴とする。
【００１０】
【発明の実施の形態】
本発明を図示の実施例に基づいて詳細に説明する。
図１は第１の実施例の角膜形状測定装置の側面図を示し、装置の外装カバー１には、被検者が額を当接する額当て２、被検者の顎を載置する顎受け台３が設けられており、外装カバー１の検者側には操作パネルユニット４、表示手段である液晶モニタ５、プリンタ６が取り付けられている。外装カバー１の内部において、装置に電力を供給する電源７を内蔵する基台８上には、前後、左右、上下方向に駆動して被検者に対して位置合わせを行う駆動機構を有する検眼ユニット９が載置されており、更に全体の制御を行う制御手段１０が配置されている。なお、制御手段１０の取付方法や各デバイスとの接続については、図示を省略している。
【００１１】
また、外装カバー１の額当て２の下側には、図２に示すような覗き窓１１Ｒ、１１Ｌと、被検者が装置内部を覗き込んだときに外装カバー１に当接しないように被検者の鼻を回避する凹部１２とが設けられている。
【００１２】
検眼ユニット９の底面には、送りナット付きのジョイント部材１３が設置され、送りねじ１４に螺合している。送りねじ１４の一端１４ａと駆動モータ１５の出力軸１５ａは、カップリング１６によって連結されている。この駆動モータ１５はステージ台１７に固定されており、駆動モータ１５の回転によって、検眼ユニット９はステージ台１７に対して被検眼Ｅに近付いたり遠去かったりするようにされている。ステージ台１７の下面には、送りねじ１８に螺合する送りナット部１９ａを有する連結部材１９が固定されている。送りねじ１８の下端１８ａと駆動モータ２０の出力軸２０ａは、カップリング２１によって連結されている。更に、駆動モータ２０はステージ台２２に固定されており、駆動モータ２０が回転することによって、送りねじ１８とそれに螺合する連結部材１９の働きで、検眼ユニット９や駆動モータ１５が固定されたステージ台１７を上下に駆動することができるようになっている。
【００１３】
ステージ台２２と連結部材１９の間には、ステージ台１７や連結部材１９の重量による駆動モータ２０の負荷を軽減するために、圧縮ばね２３が配置されている。また、ステージ台１７の下面に設置された案内棒２４は、ステージ台２２の一部に設けた案内溝２２ａに嵌入しており、駆動モータ２０の回転により検眼ユニット９やステージ台１７が回転しないようにされている。
【００１４】
ステージ台２５はステージ台２２を搭載し、ステージ台２５の下面には、案内棒２６、２７を嵌入する案内部２５ａ、２５ｂと、送りねじ２８と螺合する送りナット部２５ｃが設けられている。案内棒２６、２７は被検眼Ｅの眼幅方向に平行つまり紙面と直交方向に、基台８の取付部８ａに固定されている。また、送りねじ２８も送りねじ１４や送りねじ１８と同様に、図示しないカップリングによって図示しない後述する駆動モータ２９に連結されており、この駆動モータ２９は駆動モータ２０と同様に基台８の取付部８ａに固定されている。そして、これらの駆動モータ１５、２０、２９の回転によって、検眼ユニット９は被検者に対して前後、左右及び上下に駆動し位置合わせが行われるようになっている。
【００１５】
被検者の顎を載置する顎受け台３は顎受け支柱３０が固定されており、その内部に上下駆動用のねじ部３０ａが設けられ、そのねじ部３０ａにねじ棒３１が螺合している、ねじ棒３１の下端部３１ａと駆動モータ３２の出力軸３２ａがカップリング３３によって連結されており、駆動モータ３２は取付板３４を介して基台８に不動に取り付けられている。そして、駆動モータ３２の回転により顎受け台３が上下に駆動して、被検眼Ｅの位置合わせのための補助機構が構成されている。
【００１６】
図３は検眼ユニット９の光学系の構成図を示し、検眼ユニット９は覗き窓１１Ｒ、１１Ｌ間を移動可能に配置されており、検眼ユニット９の前面には保護ガラス４０が取り付けられている。保護ガラス４０の略中央部の光路O1上には対物レンズ４１、ハーフミラー４２、図４に示すような開口部４３ａと軸４３ｂを有する絞り４３、受光面４４ａを有する二次元撮像素子４４が順次に配列されている。ハーフミラー４２の入射方向の光路上には、レンズ４５、ダイクロイックミラー４６、可視光ＬＥＤの中心固視灯光源４７が配列され、ダイクロイックミラー４６の入射方向には、近赤外発光ＬＥＤのアライメント用視標光源４８が配置されている。
【００１７】
検眼ユニット９が移動した場合の覗き窓１１Ｒ又は１１Ｌの近傍には、リング視標光源４９が配置されており、このリング視標光源４９は図５に示すように検眼ユニット９の測定光軸O1を中心とする円環形状の拡散板と、アライメント用視標光源４８と同様の発光波長の近赤外光を発し円環状に配置された複数個のＬＥＤの照明用光源５０とから構成されている。リング視標光源４９、照明用光源５０はケース５１に収納されており、リング視標光源４９は照明用光源５０によって拡散板を背面から照明することにより、被検眼Ｅの角膜に角膜形状測定用のリング視標を投影するようにされている。リング視標光源４９のリングの内側には、角膜周辺部の曲率測定のために被検者に注視させるための可視光発光ＬＥＤから成る８個の周辺固視灯光源５２ａ〜５２ｈが、４５度おきに円環状に配置されている。これらの周辺固視灯光源５２ａ〜５２ｈは被検眼Ｅに対し１個ずつ選択的に点灯し、それを注視させることによって被検眼Ｅの視線を回旋して、検眼ユニット５の測定光軸O1上に測定角膜周辺部位を配置するようになっている。
【００１８】
絞り４３は対物レンズ４１の焦点位置に配置されてテレセントリック光学系が形成されており、角膜形状測定時に被検眼Ｅの位置ずれが測定誤差に入らないようにされている。また、絞り４３は通常では測定前のアライメント時に図示しないモータなどの駆動手段により軸４３ｂを中心に回動して、点線で示す光路外の位置に退避している。
【００１９】
図６は操作パネルユニット４を示し、市販のトラックボール４ａ、前後ローラ４ｂ、各種スイッチ群４ｃ〜４ｈが設けられている。トラックボール４ａを検者が手の平で転がすように操作することによって、その前後・左右方向の回転量を図示しないセンサが検出し、回転量に応じて検眼ユニット９を被検眼Ｅに対して上下・左右に移動するように、制御手段１０が駆動モータ２０、２９を駆動するようにされている。また、前後ローラ４ｂは表面に滑り止めのローレットが形成された棒から成り、その回転量を図示しないセンサが検出し、その回転量に応じて検眼ユニット９を被検眼Ｅに対して前後方向に移動するように、制御手段１０が駆動モータ１５を駆動するようになっている。
【００２０】
スイッチ群４ｃ〜４ｈは、測定を開始するスタートスイッチ４ｃ、測定結果をプリンタ６に出力するプリントスイッチ４ｄ、角膜形状測定を自動で行うか手動操作で位置合わせして行うかを選択する自動／手動選択スイッチ４ｅ、角膜形状の測定モードで中心部領域の測定から角膜周辺部位の測定に切換える周辺測定選択スイッチ４ｆ、顎受け台３を上昇するスイッチ４ｇ及び顎受け台３を下降するスイッチ４ｈから成っている。
【００２１】
また、液晶モニタ５はモニタケース５ａの内部に格納されており、検者に検眼ユニット９の二次元撮像素子４４で撮像した被検眼Ｅの前眼部像を動画として表示したり、測定された測定値の表示や自動／手動モードなどの測定の条件等を表示するようになっている。このモニタケース５ａの側面には、外装カバー１の図示しない孔部に嵌入する支点軸５ｂが形成されており、この軸５ｂを中心にモニタケース５ａを矢印の方向に傾動して、検者の見易い位置に固定することができるようになっている。
【００２２】
図７は制御手段１０と各デバイスの関係を示すブロック回路の構成図であり、制御手段１０はマイクロプロセッサやプログラムを格納するＲＯＭ、周辺機器のインタフェイスなどを含んでいる。制御手段１０の出力はプリンタ６、中心固視灯光源４７、照明用光源５０、周辺固視灯光源５２ａ〜５２ｈ、アライメント用視標光源４８に接続され、更に絞り４３を被検眼Ｅのアライメント時と角膜形状測定時とで光路内へ挿脱する駆動モータ５５、検眼ユニット９を被検眼Ｅに対して上下左右方向及び前後方向に駆動する駆動モータ１５、２０、２９、更に顎受け台３を上下動する駆動モータ３２に接続されて、それらの駆動を制御している。
【００２３】
また、被検眼Ｅのアライメントや角膜形状の測定に使用する二次元撮像素子４４の出力は、Ａ／Ｄ変換器５６を介して、フレームメモリ５７に接続されており、制御手段１０は二次元撮像素子４４に撮像された画像を画像処理して、被検眼Ｅのアライメントや角膜形状測定を行うようになっている。更に、操作パネルユニット４のトラックボール４ａや前後ローラ４ｂの検出信号、スタートスイッチ４ｃ、プリントスイッチ４ｄなどの各スイッチやデバイスの信号が、制御手段１０に入力されるように接続されている。
【００２４】
角膜の中心部を測定する際には、被検者は覗き窓１１Ｒ、１１Ｌの中を覗きながら、額を額当て２に当接する。例えば、右側の被検眼Ｅを測定する場合には、検者は側方から被検者の眼の位置が、その眼前に位置する検眼ユニット９を介してほぼ覗き窓１１Ｒの中心線上にあるか否かを確認して、被検者の顔が安定するようにスイッチ４ｇ、４ｈを操作して顎受け台３を昇降し、被検者の顎を顎受け台３上に載置する。被検者の顔の姿勢が安定したら検者はスタートスイッチ４ｃを押し、これによって自動的に被検眼Ｅのアライメントが開始され測定が行われる。
【００２５】
スタートスイッチが押釦されると、制御手段１０は中心固視灯光源４７を点灯し、中心固視灯光源４７を発した光束は、ダイクロイックミラー４６、レンズ４５を透過して、ハーフミラー４２で反射され、対物レンズ４１を透過して、保護ガラス４０、更に覗き窓１１Ｒを介して、レンズ４５、対物レンズ４１より平行光束となって右側の被検眼Ｅに投影される。被検眼Ｅはこの中心固視灯光源４７の光束を注視することによって、角膜中心部の曲率測定を行う際に、被検眼Ｅの角膜Ｅｃ頂点を測定光軸O1上に位置合わせする。
【００２６】
次に、制御手段１０はアライメント用視標光源４８を点灯し、アライメント用視標光源４８から発した光束は中心固視灯光源４７と同様の光路を通り、レンズ４５、対物レンズ４１により平行光束となって被検眼Ｅの角膜Ｅｃに投影され、角膜Ｅｃの虹彩Ｅｉ付近に輝点Ｔｃとして結像する。この輝点Ｔｃからの光束は光路を戻り、覗き窓１１Ｒ、保護ガラス４０、対物レンズ４１、ハーフミラー４２を透過して、二次元撮像素子４４のセンサ受光面４４ａに達し、図８に示すようにセンサ受光面４４ａ上に角膜反射輝点像Ｔ’を形成する。この時点では、輝点像Ｔ’は未だ被検眼Ｅのアライメントは完了していないので、位置合わせするセンサ受光面４４ａの中心部４４ｃ付近のアライメント許容領域Ｍａ’から離れた個所にある。
【００２７】
制御手段１０はフレームメモリ５７に入力されたアライメント時の前眼部像を逐次に画像処理して、輝点像Ｔ’とセンサ受光面４４ａの中心部４４ｃとの距離が小さくなる方向に、駆動モータ２０、２９を駆動して制御を行う。この輝点像Ｔ’がアライメント許容範囲Ｍａ’内に入ったら、検眼ユニット９の左右、上下方向のアライメントが完了したことになる。
【００２８】
続いて、角膜形状測定のために、制御手段１０はアライメント用視標光源４８を消灯し、照明用光源５０を発光して、リング視標光源４９からリング光束を被検眼Ｅの角膜Ｅｃに投影する。リング光束による被検眼Ｅでの角膜反射像Ｋは、覗き窓１１Ｒ、保護ガラス４０を介して、対物レンズ４１で屈折し、ハーフミラー４２、絞り４３の開口部４３ａを介して、二次元撮像素子４４のセンサ受光面４４ａに結像する。
【００２９】
図９(a) はセンサ受光面４４ａに結像したリング視標光源４９の角膜反射像Ｋを表し、被検眼Ｅの角膜形状によってリングの直径が大きくなったり小さくなったりする。また、被検眼Ｅの角膜Ｅｃに乱視がある場合には、図９(b) に示すように角膜反射像Ｋは楕円形状になる。
【００３０】
制御手段１０はリング視標光源４９の角膜反射像Ｋをフレームメモリ５７に取り込み、例えばセンサ受光面４４ａの中心部４４ｃを通る走査線に相当する図１０(a) に示す水平方向の画素ＣＬの並び方向での図１０(b) に示すような角膜反射像Ｋのエッジの立ち上がり具合αを算出して記憶する。その後に、検眼ユニット９を被検眼Ｅに向かう方向に若干移動し、同様にして取り込んだリング視標光源４９の角膜反射像Ｋのエッヂの立ち上がり具合αと比較する。リング視標光源４９のエッヂの立ち上がり具合αが鋭くなればピントが合う方向となる。
【００３１】
検眼ユニット９を移動する前後で検眼ユニット９の立ち上がり具合αを比較し、移動した後の方がエッヂの立ち上がり具合αが鋭くなっている場合は、更に同じ方向に移動し、更に鈍くなっている場合は、反対方向に移動して繰り返し立ち上がり具合αを比較する。以上の動作を、所定の立ち上がり具合αに達するまで繰り返すことによって、リング視標光源４９の被検眼Ｅの角膜Ｅｃによる反射像のピントの合った状態を見い出して、作動距離方向である前後方向の位置合わせを完了する。
【００３２】
このようにして、被検眼Ｅと検眼ユニット９の前後・左右・上下方向の位置合わせが完了すると、制御手段１０は位置合わせが完了したときのリング視標光源４９の被検眼Ｅｃによる角膜反射像Ｋの画像を、Ａ／Ｄ変換器５６を介してフレームメモリ５２に取り込んで、そのリング像の大きさ及び形状を画像解析して、角膜形状を表す強弱主経線曲率半径とその軸角度を算出し、算出した結果は液晶モニタ５やプリンタ６に出力して表示する。
【００３３】
角膜周辺部の測定の際には、角膜Ｅｃの中心部領域の測定が終了した後に、検者が操作パネルユニット４の周辺測定選択スイッチ４ｆを押釦することにより、中心部領域の測定値を基に角膜周辺部の測定を開始する。制御手段１０はリング視標光源４９の照明用光源５０を消灯し、代りにアライメント用視標光源４８を点灯する。中心部測定を行った直後なので、その角膜反射輝点像Ｔ’はセンサ受光面４４ａの中心部４４ｃ付近に輝点像として存在している。制御手段１０はこのときの角膜反射輝点像のセンサ受光面４４ａ上の位置を、フレームメモリ５７に取り込んだ前眼部像を画像処理することによって算出、記憶しておく。
【００３４】
そして、中心部領域の測定結果が、例えば弱主経線曲率半径が７．６０ｍｍ、強主経線曲率半径が７．３１ｍｍ、軸角度が９７度であったとすると、その軸角度の値９７度に最も近い周辺固視灯方向である９０度方向、９０度方向と正対する軸角度である２７０度方向、９０度及び２７０度と直交する軸角度である１８０度方向及び０度方向で周辺部測定を行う。
【００３５】
先ず、制御手段１０は中心部領域測定時の固視灯である中心固視灯光源４７を消灯し、被検眼Ｅを２７０度方向（下方向）に回旋して、９０度方向の角膜周辺部を検眼ユニット９の測定光軸上に配置するために、下方向位置の周辺固視灯光源５２ｅを点灯する。被検者は点灯した周辺固視灯光源５２ｅを見るために、２７０度の方向に視線を移動する。
【００３６】
図１１は被検眼Ｅが周辺固視灯光源を固視して角膜Ｅｃの位置が回旋したときの角膜反射輝点の移動の説明図を示す。中心部の測定を行っているときに、角膜反射輝点は位置Ｔ１に形成されるが、被検眼Ｅが周辺固視灯光源５２ｅを固視すると、回旋点Ｑを中心にして角膜ＥｃはＥ１からＥ２に角度θだけ回転し、角膜反射輝点も位置Ｔ２に移動する。角度θは検眼ユニット９の角膜形状測定光学系の測定部位の大きさにもよるが、手動操作のケラトメータなどの周辺曲率測定部位と同様に、２０度程度の装置固有の角度であり、周辺固視灯光源５２ｅの設置高さにより決まる。
【００３７】
この角膜反射輝点の位置Ｔ１からＴ２への移動は、検眼ユニット９側から観察すると、距離ｈだけ周辺固視灯光源５２ｅの方向に輝点が移動したように見える。ここで、角膜Ｅｃの曲率半径をｒ、角膜頂点から被検眼Ｅの回旋点Ｑまでの距離をｘとすると、距離ｈは次式で表される。
ｈ＝（ｘ−ｒ）ｓｉｎθ                      …(1)
【００３８】
この距離ｈは約１３ｍｍ程度であるが、この値は個人差が大きい。なお、図１１においてＯ、Ｏ’はそれぞれ被検眼Ｅの角膜ＥｃがＥ１、Ｅ２にあるときの曲率中心を表している。このように、被検者が正しく周辺固視灯光源５２ｅを固視していれば、角膜反射輝点の像は、略距離ｈだけ点灯中の周辺固視灯光源５２ｅの方向に移動する。
【００３９】
図１２は二次元撮像素子４４のセンサ受光面４４ａに投影された角膜反射輝点像Ｔ１’及びＴ２’を示す。輝点像Ｔ１’、Ｔ２’はそれぞれ図１１の位置Ｔ１、Ｔ２の像を示しており、被検者の視線が周辺固視灯光源５２ｅの方向に移動することによって、アライメント用視標光源４８の角膜反射輝点像は、被検者の視線が移動した方向に移動している。制御手段１０はこのときの角膜反射輝点像Ｔ２’のセンサ受光面４４ａ上の位置を、フレームメモリ５７に取り込んだ前眼部像から画像処理により算出し、中心部測定後に算出、記憶しておいた角膜反射輝点像Ｔ１’の位置と比較する。制御手段１０はこの輝点像Ｔ１’の位置と輝点像Ｔ２’の位置とを比較し、その変化の方向が周辺固視灯光源５２ｅの方向と概略一致しているか否かを判定する。
【００４０】
この判定の基準は、例えば図１２に示すように、輝点像Ｔ１’を中心として周辺固視灯光源光源５２ａ〜５２ｈが存在する８方向に分割された領域Ａａ〜Ａｈのどの領域に、周辺固視灯光源５２ｅ点灯時の角膜反射輝点像Ｔ２’が入っているかによって判定する。領域Ａａ〜Ａｈの円環の内径、外径の大きさは、式(1) において、この装置の角膜形状の測定範囲であるｒの変動幅と、ｘ＝１３として、ｘの許容変動幅を考慮して決定された領域である。領域Ａｅに一致していると判定されたときには、点灯した周辺固視灯光源５２ｅを被検者が正しく注視していると判断できるので、中心部測定の時と同様に、角膜反射輝点像Ｔ２’がセンサ受光面４４ａのアライメント許容範囲Ｍａ’内に入るように、被検眼Ｅに対して上下左右方向に検眼ユニット９を駆動する。
【００４１】
次に、照明用光源５０を点灯して、リング視標光源４９を角膜Ｅｃに投影し、、中心部測定の場合と同様にリング視標光源４９による角膜反射像Ｋのピントを合わせることにより、被検眼Ｅと検眼ユニット９の前後方向の位置合わせを行う。その後に、角膜反射像Ｋの形状・大きさを画像処理によって求め、周辺部位での角膜形状測定を行う。このようにして求めた被検眼Ｅの９０度方向の周辺部位の形状と、前に測定した中心部の角膜形状の測定値とから、制御手段１０により９０度方向の離心率ｅを算出する。
【００４２】
中心部測定後の輝点像Ｔ１’の位置と周辺固視灯光源５２ｅを点灯した時の輝点像Ｔ２’の位置を比較し、その変化の方向が周辺固視灯光源５２ｅの方向と一致していないと判定されたときには、図１３に示すように制御手段１０は液晶モニタ５に被検者の固視状態が不良であることを表示し、一旦測定を中断する。その後に、制御手段１０は周辺固視灯光源５２ｅを点滅したり、更に明るく点灯して被検者の注視を促進するように動作したり、或いはブザーを鳴らして検者に被検者が正しく周辺固視灯光源５２ｅを注視していないことを警告し、被検者への注意を促して、被検者の注視を周辺固視灯光源５２ｅに向けるように制御する。
【００４３】
この間に、制御手段１０は常に角膜反射輝点像Ｔ２’の位置をセンサ受光面４４ａ上で検出しているので、角膜反射輝点像Ｔ２’の移動方向が正しく周辺固視灯光源５２ｅの方向と―致しているか否か判定を続け、一致していると判定された場合にのみ測定を再開して、その方向の周辺部測定を行う。
【００４４】
なお、このとき、被検者の固視状態が適正であることを示すために、図１３に示す「Ｆｉｘａｔｉｏｎ  Ｅｒｒｏｒ」の代りに、「Ｆｉｘｅｄ」等と表示してもよいが、本実施例では現在の測定部位を表す図１３の「９０度」という数字を点滅することによって固視が適正であることを表している。また、左下のマークＭＤは既に測定が終了している場所を黒丸で示し、中央の黒丸が中心部測定の終了を示している。更に、白丸は未測定の部位を示し、現在測定中の部位を例えばマークＭＤｅのように黒丸と白丸の点滅で表示する。
【００４５】
次に、１８０度方向の角膜周辺部位の測定を行うために、制御手段１０は同様に周辺固視灯光源５２ｅを消灯して、代りに周辺固視灯光源５２ｃを点灯する。角膜Ｅｃに投影されたアライメント用視標光源４８の角膜反射輝点像Ｔ２’の位置を、中心部測定の角膜反射輝点像Ｔ１’の位置と比較して、被検者の注視方向が正しく周辺固視灯光源５２ｃの方向に向いているか否かを判別して、１８０度方向の角膜周辺部位の測定を行う。更に、同様にして２７０度方向の角膜周辺部位の測定の時は、周辺固視灯光源５２ａを点灯し、０度方向の角膜周辺部位の測定の時は、周辺固視灯光源５２ｇを点灯して、角膜周辺部位の測定を行う。そして、図１４に示すように測定した角膜周辺部の測定結果の一覧をプリンタ６に出力し、角膜周辺部の測定を終了する。
【００４６】
通常、検眼装置に設置されている表示手段は５インチ程度の小さな液晶モニタ５なので、角膜周辺部の測定結果などの複数個の測定データ群を一度に表示する場合は、プリンタ６の出力の方が見易く、９０度、１８０度、２７０度、０度の測定を完了する毎に、周辺測定を行っている部位の表示と共に、その時の測定値である曲率半径と離心率ｅを、図１３の測定部位を表す角度の数字の下の表示「Ｆｉｘａｔｉｏｎ  Ｅｒｒｏｒ」の場所に表示するようにしてもよい。
【００４７】
以上の説明では、アライメント用視標光源４８による平行光束の角膜反射輝点の位置を検出して、中心部測定の時の角膜反射輝点像Ｔ１’の位置と、周辺固視灯光源５２ｅを点灯したときの角膜反射輝点像Ｔ２’の位置とを比較することにより、被検眼Ｅの注視方向の検出を行っているが、アライメント用視標光源４８の代りに、リング視標光源４９の角膜反射像Ｋの位置を検出することによって、被検眼Ｅの注視方向の検出を行ってもよい。
【００４８】
図１５はセンサ受光面４４ａ上に撮像されたリング視標光源４９の角膜反射像Ｋを示し、図１５(a) は中心部測定時の角膜反射像Ｋｃで、その計算上の中心Ｃｃはセンサ受光面４４ａのほぼ中心にある。また、図１５(b) は角膜周辺部位の測定のために、周辺固視灯光源５２ｅを点灯した後に、被検者が周辺固視灯光源５２ｅを注視したときのリング視標光源４９の角膜反射像Ｋｐであり、その計算上の中心Ｃｐは、角膜反射輝点像Ｔ２’と同様に点灯した周辺固視灯光源５２ｅの方向に移動している。
【００４９】
このリング形状或いは楕円形状のリング視標光源４９の角膜反射像Ｋｃの中心位置を、制御手段１０により画像解析することによって求め、リング視標光源４９の角膜反射像Ｋｃの中心位置の変化と、周辺固視灯光源５２ａ〜５２ｈの内の点灯している光源の角膜反射像Ｋｐの位置を比較し、被検眼Ｅの注視状態を検出することができる。また、被検眼Ｅとのアライメントのために駆動する検眼ユニット９の移動量から、周辺固視灯光源５２ａ〜５２ｈの点灯による被検眼Ｅの注視方向を検出することもできる。
【００５０】
図１６は第２の実施例の角膜形状測定装置の側面図を示し、図１と同じ符号は同じ部材を表している。図１７に示すような等間隔のスリット６０ａを有するスリット板６０が、駆動モータ２９により被検眼Ｅに対して左右方向（眼幅方向）に駆動するステージ台２５に取り付けられている。そして、そのスリット板６０を挟むように、フォトエンコーダ６１が基台８に取り付けられており、駆動モータ２３によるステージ台２５の左右方向の移動によって、スリット板６０がフォトエンコーダ６１の間隙を移動し、このときのステージ台２５の移動方向と移動量をフォトエンコーダ６１が検出するように構成されている。
【００５１】
ステージ台１７には、スリット板６０と同様のスリットを有するスリット板６２が取り付けられ、またステージ台２５には、スリット板６２を挟むようにしてフォトエンコーダ６３が取り付けられており、駆動モータ２０の駆動によるステージ台１７の上下方向の移動方向及び移動量を検出できるように構成されている。そして、フォトエンコーダ６１、６３の出力は何れも制御手段１０に接続され、これによって制御手段１０はステージ台１７に搭載された検眼ユニット９の左右上下方向の移動量と移動方向を検出できるようなっている。
【００５２】
なお、図示しないが検眼ユニット９にスリット板を取り付け、ステージ台１７にフォトエンコーダをこのスリット板を挟むように設置すれば、検眼ユニット９の被検眼Ｅに対する前後方向の移動量及び移動方向を検出することができるので、その移動量を参考にして、被検眼Ｅと検眼ユニット９の作動距離方向の位置合わせを精度良く行うことが可能となる。
【００５３】
このような構成により、被検眼Ｅの角膜Ｅｃの中心部領域の測定を行った後に、周辺固視灯光源５２ｅを点灯してこれを被検眼Ｅに注視させ、アライメント動作中に常に角膜反射輝点像Ｔ’がセンサ受光面４４ａのアライメント許容範囲Ｍａ’に入るように検眼ユニット９を移動する動作を行い、検眼ユニット９の移動量と移動方向をフォトエンコーダ６１、６３の出力から算出することにより、検眼ユニット９の駆動方向である被検眼Ｅの注視方向を検出して、被検眼Ｅが正しく周辺固視灯光源５２ｅを注視しているか否かを判定している。このように、常に測定のためのアライメント動作を行うことによって、測定時間を短縮することが可能となる。
【００５４】
また、角膜形状測定装置と眼屈折力計との複合機などでは、通常では眼屈折力計の機能により被検眼Ｅの眼幅を測定する機能が求められているが、本実施例においては、検眼ユニット９の眼幅方向の移動量を求める機構を眼幅測定に共用できるので合理的である。なお、自動測定の角膜形状測定装置を実施例としたが、手動で操作する従来のケラトメータでも、図１３に示すように液晶モニタ５に、点灯している周辺固視灯光源５２ｅの方向と被検者の視線の方向を表示すようにすれば、同様の効果を得ることができる。
【００５５】
このように本実施例では、被検者の点灯した周辺固視灯光源５２ｅに対する注視状態が、所望の角膜周辺部位の測定に適しているか否かを判断するので、被検眼Ｅの注視状態を検者の判断だけに任せることなく、正しい周辺部位の測定を確実に行うことができる。また、検者にこれから行う角膜周辺測定が正当か否かを予め知らせることができるので、検者の操作ミス・判断ミスによる誤った測定を回避することができ、誤った測定部位の測定が強制的或いは偶発的に行われたり、間違った測定値を採用してしまうことを防止することができる。更に、検者による被検者への注意や指導をすることなく、被検者に正しく固視させることができるので、検査の省力化や測定の自動化が可能になり、注視方向検出のための専用の視標や光学系を設けることなく、安価な構成で角膜周辺測定における被検眼Ｅの注視方向の検出を行うことができる。
【００５６】
【発明の効果】
以上説明したように本発明に係る角膜形状測定装置は、複数の周辺固視灯の点灯・消灯を点灯制御手段により制御して、被検眼の注視方向を検出することにより、角膜周辺形状の測定の際に、被検者が正しく周辺固視灯を注視し、所望の角膜周辺部位が測定光軸上に位置合わせされているか否かを検出することができるので、被検者の固視不良による誤った周辺部位の測定を未然に防止することができる。
【００５７】
また、本発明に係る角膜形状測定装置は、点灯した周辺固視灯の方向と、注視方向検出手段により検出した被検眼の注視の移動方向とが、概略同じ方向か否かを判定することにより、被検者が固視不良にある場合に、被検者又は検者に被検者の固視不良を警告したり、適正な固視状態に誘導することが可能になるので、誤った周辺部位の測定を防止することができる。
【００５８】
本発明に係る角膜形状測定装置は、被検眼のアライメント及び測定を自動的に行う際に、複数の周辺固視灯、点灯・消灯に応じて検眼手段の移動方向を検出することにより、被検眼の固視不良を検出・判定することができ、これにより誤った周辺部位の測定を防止して角膜周辺部の自動測定を行うことができる。
【図面の簡単な説明】
【図１】第１の実施例の側面図である。
【図２】接眼部の正面図である。
【図３】検眼ユニットの光学系の構成図である。
【図４】絞りの正面図である。
【図５】周辺固視灯光源及びリング光源の正面図である。
【図６】操作パネルの正面図である。
【図７】制御手段のブロック回路の構成図である。
【図８】リング光源の反射像の説明図である。
【図９】角膜反射輝点像の説明図である。
【図１０】角膜反射像の１走査線上の光強度のグラフ図である。
【図１１】角膜反射輝点像の移動の説明図である。
【図１２】センサ受光面の角膜反射輝点像の説明図である。
【図１３】表示手段の表示の説明図である。
【図１４】プリント出力の説明図である。
【図１５】リング光源の角膜反射像の説明図である。
【図１６】第２の実施例の側面図である。
【図１７】スリット板の正面図である。
【符号の説明】
１  外装カバー
２  額当て
３  顎受け
４  操作パネルユニット
５  液晶モニタ
６  プリンタ
８  基台
９  検眼ユニット
１４、１８、２８  送りねじ
１５、２０、２９、３２、５５  駆動モータ
１０  制御手段
４３  絞り
４４  二次元撮像素子
４４ａ  センサ受光面
４７  中心固視灯光源
４８  アライメント用視標光源
５０  リング視標光源
５２ａ〜５２ｈ  周辺固視灯光源
６０、６２  スリット板
６１、６３  フォトエンコーダ
【図１】
0004124897.tif 000002
【図２】
0004124897.tif 000003
【図３】
0004124897.tif 000004
【図４】
0004124897.tif 000005
【図５】
0004124897.tif 000006
【図６】
0004124897.tif 000007
【図７】
0004124897.tif 000008
【図８】
0004124897.tif 000009
【図９】
0004124897.tif 000010
【図１０】
0004124897.tif 000011
【図１１】
0004124897.tif 000012
【図１２】
0004124897.tif 000013
【図１３】
0004124897.tif 000014
【図１４】
0004124897.tif 000015
【図１５】
0004124897.tif 000016
【図１６】
0004124897.tif 000017
【図１７】
0004124897.tif 000018